【事件の表示】
　平成１１年特許願第１１３８４７号「パチンコ機の入賞装置」拒絶査定不服審判事件〔平成１１年１１月２４日出願公開、特開平１１−３１９２０１〕について、次のとおり審決する。
【結　論】
　本件審判の請求は、成り立たない。
【理　由】
１．手続の経緯・本願発明
　本願は、平成４年４月２２日に出願した特願平４−１２９５６１号の一部を、平成１１年４月２１日に新たな出願としたものであって、平成１５年２月２０日付けで拒絶査定がなされ、これに対し、拒絶査定に対する審判請求がなされるとともに、平成１５年５月１日付けで手続補正がなされたところ、当審において、平成１６年８月２７日付けで拒絶の理由が通知され、これに対して、平成１６年１０月２９日付けで意見書が提出されるとともに、手続補正がなされたものであり、その請求項１に係る発明（以下、「本願発明」という。）は、平成１４年６月６日付け手続補正書及び平成１６年１０月２９日付け手続補正書で補正された明細書及び図面の記載からみて、その特許請求の範囲の請求項１に記載された次のとおりのものと認める。
　
【請求項１】　パチンコ球が入賞することにより大入賞口が所定時間開放する権利を発生させる特別入賞口と、前記権利を発生させない通常入賞口とを空間部に備え、該空間部をパチンコ球が飛入可能な第一状態と飛入不能な第二状態とに変換可能にしたパチンコ機の入賞装置において、
　前記空間部には、
　パチンコ球を所定の貯溜球数だけ貯溜可能であって、前記所定の貯溜球数以上のパチンコ球が収容されたとき、前記所定の貯溜球数までのパチンコ球は貯溜され、それ以降のパチンコ球は溢れる貯溜部と、
　前記パチンコ球が飛入可能な第一状態に変換されたときから第一の所定時間が経過するまで前記貯溜部内にパチンコ球を貯溜させる、あるいは前記第一の所定時間の経過に基づいて貯溜部内に貯溜されたパチンコ球を回収口に放出させるための駆動手段と、
　前記貯溜部から溢れたパチンコ球を収容し、前記特別入賞口へ入賞させる保持部と、
　前記保持部を構成し、前記空間部が前記パチンコ球が飛入不能な第二状態に移行してから第二の所定時間が経過したときに前記収容したパチンコ球を前記特別入賞口へ移動させる回転体とを設けたことを特徴とするパチンコ機の入賞装置。
　
２．当審の拒絶理由
　一方、当審において平成１６年８月２７日付けで通知した拒絶の理由の概要は、本願発明は、本願の出願前に頒布された刊行物である下記の刊行物１乃至６に記載された発明に基づいて当業者が容易に発明をすることができたものであるから、特許法第２９条第２項の規定により特許を受けることができない、というものである。
　
刊行物１：特開平４−１０５６７０号公報
刊行物２：特開昭６２−２４９６６５号公報
刊行物３：特開昭６４−４００７６号公報 
刊行物４：実願昭６０−１８９４６２号（実開昭６２−９７６８７号）のマイクロフィルム
刊行物５：特開昭６２−１１７５７９号公報
刊行物６：特開昭６３−２６２１６９号公報
　
３．刊行物に記載された発明
（１）刊行物１
　刊行物１〔特開平４−１０５６７０号公報〕（以下、「引用例１」という。）には、パチンコ機に関し、
(1-1)　第１頁左欄第５−１７行に、
「遊技盤に、権利入賞口及び普通入賞口を有する入賞装置と、遊技者に不利な第１状態と遊技者に有利な第２状態とに変換可能な大入賞装置と、始動入賞口を少なくとも備えたパチンコ機において、　上記遊技盤には、駆動源の作動により遊技者に利益を付与可能な普通電動役物と、図柄を可変表示する普通図柄表示装置と、該普通図柄表示装置の作動条件を創出可能な普通図柄始動スイッチが臨む特定入賞手段を配設し、電気的制御手段により、上記大入賞装置と普通電動役物と普通図柄表示装置と特定入賞手段を相互に関連付けたことを特徴とするパチンコ機。」と、
(1-2)　第２頁右上欄第４行−左下欄第３行に、
「上記センター役物７は、第１図ないし第４図に示す実施例によれば、取付基板11に開口部12を設け、該開口部12の後方に入賞室13を連設し、該入賞室13内には権利スイッチ28が臨む権利入賞口14と普通入賞口15とを設けると共に、入賞室13内部を転動する打球に変化を与える障害機構16を設けてなる。入賞室13の上方には球入口17を設け、この球入口17と上記入賞室13の天井部後方とを誘導路18を介して連通させる。  ところで、この実施例においては球入口17を遊技者に利益を付与可能な普通電動役物51で構成している。即ち、普通電動役物51は所謂電動チューリップからなり、この電動チューリップは、第２図及び第３図に示すように、センター役物７の取付基板11の上方部分をベース板52として、このベース板52の前面に打球を受入れるポケット53と、該ポケット53の上縁開口縁の左右に一対の回動翼片54を設けて構成している。」と、
(1-3)　第２頁右下欄第８−１９行に、
「上記のように構成された普通電動役物51は、常態において電動役物作動用ソレノイド57が消磁し、戻りスプリング58aの付勢によってプランジャ58が後退し、揺動部材55の揺動突起55aが上向きとなり、回動翼片54の間隔は球が１個通過可能な状態となっている。一方、電動役物作動用ソレノイド57を励磁するとプランジャ58がスライドして連動杆56aを介して揺動部材55が支軸を支点に揺動して揺動突起55aを下向きに回動させ、回動翼片54を開放して、球が流入し易い状態に変換し、遊技者に利益を与えることができる。」と、
(1-4)　第３頁右上欄第５−１４行に、
「一方、上記障害機構16は、………入賞室13の底部で傾斜状に回転する回転板24と、この回転板24の上面に設けた直径の異なる複数の障害ピン25…などからなる。」と、
(1-5)　第３頁左下欄第１−６行に、
「入賞装置５における普通入賞口15は入賞室13の後端部の回転板の左右及び入賞室13の左右に位置し、この普通入賞口15には球入口17から誘導路18を通って入賞室13に入る打球が駆動ピン22に衝突したり上記障害機構16に誘導されて入賞可能である。」と、
(1-6)　第３頁左下欄第１４−１８行に、
「従って、入賞装置５の球入口17としての普通電動役物51に入った打球は誘導路18を介して入賞室13内に流入し、普通入賞口15に入るか、障害機構16により権利入賞口14に導かれる。」と、
(1-7)　第４頁右上欄第８行−左下欄第１０行に、
「障害機構16の回転板24上に落下した打球は、障害ピン25に係止したり、衝突して流下方向を変えながら傾斜した回転板24上を転動して入賞室13の前縁に設けた権利入賞口14に運良く入ると、一定の条件で大入賞装置６を第１状態から第２状態に変化させる特別作動の権利を獲得する。この権利状態において、一定の条件とは、例えば遊技部４に設けた始動入賞口43に打球が入賞し、始動スイッチ84がオンすることであり、この始動スイッチ84がオンすると、電気的制御手段が開閉用ソレノイド32を励磁してゲート31を回動させて横長開口部30を約10秒経過するか、または10カウントスイッチ44が10個の入賞を検出するまで開放作動する特別作動を行ない、最大16回まで上記特別作動の権利を行使することができる。即ち、始動入賞口43に16個入賞すると上記特別作動の権利は消滅する。また、大入賞装置６は上記一定の条件が終了するか予め設定する特別条件が発生すると特別作動の権利が消滅する。上記特別条件とは、例えば上記権利状態中に球入口17に入った打球が権利入賞口14に再び入って権利スイッチ28がオンすることである。」と、
(1-8)　第７頁左上欄第６−１０行に、
「尚、この実施例のおける電動チューリップ51は常態で回動翼片54の間に球が流入できないように閉じているが、常態時の回動翼片54の間隔を球１個に通過可能な程度として球の流入が可能なように構成してもよい。」と、
　それぞれ記載されている。
　
　以上の記載によれば、引用例１には、
「打球が入ることにより大入賞装置６の横長開口部３０が約１０秒あるいは１０個の入賞を検出するまで開放作動する権利を獲得する権利入賞口２１と、普通入賞口１５とを入賞室１３内に設け、入賞室１３の上方に設けられた球入口１７を電動チューリップからなる普通電動役物５１で構成し、球が１個通過可能な状態と、電動チューリップの回動翼片５４が開放して球が流入し易い状態に変換しているパチンコ機のセンター役物７において、
前記入賞室１３には、上面に複数の障害ピンを設けた回転板２４を設けたパチンコ機のセンター役物。」
　との発明（以下、「引用発明」という。）が開示されているものと認められる。
　
（２）刊行物２
　刊行物２〔特開昭６２−２４９６６５号公報〕（以下、「引用例２」という。）には、パチンコ機に関し、
(2-1)　第１頁左欄第５行−右欄第７行に、
「仕切板により上部空間と下部空間とに分けられ、該下部空間に特定入賞口が設けられるとともに、該上部空間と該下部空間とに開口する一の球通路及び前記上部空間と前記特定入賞口とは別の他の入賞口とに開口する他の球通路が設けられた入賞空間と、前記上部空間を開閉可能に設けられた開閉部材を開方向に運動させる第１駆動手段と、前記他の通路を開閉可能に設けられたストッパ部材を開閉駆動する第２駆動手段とを備えた入賞装置、　前記特定入賞口にパチンコ球が入ったときにオンとなり、前記第１駆動手段を駆動して前記入賞装置の入賞確率が増大する状態を所定時間内維持させる第１駆動手段駆動制御回路、前記第１駆動手段駆動制御回路がオン状態であって且つ前記特定入賞口にパチンコ球が入ったとき前記入賞装置の入賞確率の増大状態を再度最初から開始させるように前記第１駆動手段駆動制御回路を制御する継続制御回路、　前記第１駆動手段駆動制御回路がオン状態のときにオンとなり、前記第２駆動手段を駆動する第２駆動手段駆動制御回路、　を備えているパチンコ機。」と、
(2-2)　第３頁左上欄第３−７行に、
「第２図〜第４図において、13はセンター役物11の基板であり、この基板13は遊技部４上に固定されるもので、その３箇所に天穴入賞口14が開設されており、15はパチンコ球を該天穴入賞口14に誘導する誘導部である。」と、
(2-3)　第３頁左上欄第１８行−右上欄第２行に、
「基板13における飾取付枠16よりも下部には、ほぼ縦長長方形状の大開口部20が設けられ、飾取付枠16は、この大開口部20の上端部において該大開口部20の内外をパチンコ球に対して遮断すべく廂状に位置している。」と、
(2-4)　第３頁右上欄第８行−左下欄第５行に、
「大開口部20には前面開口の箱状本体26が取付けられており、27は該本体26の底板、28は同天板、29、30は側板、31は後板である。底板27は仕切板24、25上端部から後方に向って上傾し、天板28は大開口部20上端部から後方に向って下傾する。これら本体26を構成する板27〜31及び傾斜板21によって画定される空間が入賞空間32である。この入賞空間32には仕切板33が設けられ、この仕切板33は後板31に端を発して前方に向い若干上傾し、その前端部は遮蔽板22、23の上端部間に達しており、入賞空間32は、この仕切板33によって上部空間34と下部空間35とに二分されている。この仕切板33前端部と傾斜板21との間における仕切板24と仕切板25との間は特定入賞口46とされ、同仕切板24と遮蔽板22との間は入賞口47とされ、仕切板25と遮蔽板23との間は入賞口48とされている。」と、
(2-5)　第３頁左下欄第１４行−右下欄第５行に、
「後板31における半円筒部37の両側の部分は断面四角形状に突出曲成されて角筒部39、40とされ、仕切板33における切欠部36の両側の部分と角筒部39、40との間は夫々他の球通路41、42とされている。これらの球通路41、42の下部空間35側前面開口には夫々遮蔽板43、44が設けられ、これらの遮蔽板43、44により他の球通路41、42が上部空間34と下部空間35とをつながないようにされている。これらの他の球通路41、42の下端部より流れ出たパチンコ球は後述の10カウントスイッチに検出されるものである。」と、
(2-6)　第５頁左上欄第１−１６行に、
「各角筒部39、40にはストッパレバー85、86が軸支されており、87、88はそれらの支軸であって、これらのストッパレバー85、86は、それぞれ支軸87、88を中心にＢ−Ｂ′方向に回動可能とされている。ストッパレバー85は、その支軸87を境にして一端側がストッパ部89とされ、他端側が連結部90とされているもので、ストッパ部89はＢ−Ｂ′方向の回動により他の球通路41に対して進退するようになっていて、その進入時に他の球通路41を閉塞する。ストッパレバー86はストッパレバー85と同じ構成のもので、91はそのストッパ部、92は連結部であり、ストッパ部91はＢ−Ｂ′方向の回動により他の球通路42に対して進退するようになっていて、その進入時に他の球通路42を閉塞する。」と、
(2-7)　第７頁右下欄第１−６行に、
「すなわち、各18回動作の開始時に各プランジャ98、106が引かれてストッパレバー85、86がＢ方向に回動し、他の球通路41、42が閉塞され、第５図に示すようにパチンコ球Ｐ、Ｐ、…が放出されることとなるのである。」と、
(2-8)　第８頁左下欄第５−１６行に、
「第９図〜第11図は本発明の更に他の実施例を示すものである。まず、第９図及び第10において、ここでは後述するように他の球通路41,42の閉塞時間が短いために、該他の球通路41,42内への貯留可能球数が減少することから、該他の球通路41,42における貯留球スペースを小さくすべくストッパレバー85,86夫々のストッパ部89,91を一の実施例よりも長く延したものである。これにより、上記の短い閉塞時間であっても、その閉塞時に該他の球通路41,42からの溢れ球が生ずるようになっている。」と、
(2-9)　第９頁右上欄第２−９行に、
「以上、要するに本発明によれば、他の球通路における貯留球数にも限界があるから、その球通球が増えるにともない、特定入賞口のある下部空間へ続く一の球通路にパチンコ球の入る確実性が増すこととなるので、入賞球となる貯留球の増大とともに入賞確率増大状態の再開の確率も高まるという特有の遊技変化が得られることとなり、遊技者の遊技意欲の増大化を図ることが可能となる。」と、
　それぞれ記載されている。
　
（３）刊行物３
　刊行物３〔特開昭６４−４００７６号公報〕（以下、「引用例３」という。）には、パチンコ機に関し、
(3-1)　第１頁左欄第５行−右欄第４行に、
「打球を受け入れない閉状態と打球を受け入れ易い開状態とに変換可能な可動片と、該可動片が開状態において受け入れた打球を普通の入賞とする一般入賞口と特別の入賞とする継続入賞口とを有する変動入賞装置と、　前記継続入賞口に飛入した打球によって特別遊技状態を開始させ、その特別遊技状態中に、再度前記継続入賞口に飛入した打球があったとき、前記特別遊技状態を最初から開始させるように制御する制御手段と、を備えたパチンコ機において、　前記変動入賞装置には、前記可動片により受け入れられた入賞玉のうち所定個数の入賞玉の貯溜可能な第１の状態と貯溜を解除する第２の状態とに変化できる入賞玉貯溜装置を設け、　前記制御手段には、特別遊技状態となったときに前記入賞玉貯溜装置を第１の状態に駆動し、特別遊技状態開始後、予め定められた条件を満たしたときに入賞玉貯溜装置を第２の状態に復帰する駆動制御手段を含んだ、ことを特徴とするパチンコ機。」と、
(3-2)　第３頁右下欄第１９行−第４頁左上欄第２行に、
「このカバー板43と前記凹室周壁42と前記障害受部33と下部受枠34と可動片35a,35bとによって変動入賞装置30の入賞空間44を形成している。」と、
(3-3)　第４頁左上欄第８−１０行に、
「入賞空間44のほぼ真ん中の位置には、入賞空間44を上下に分割形成する区画板46が水平方向に横臥されている。」と、
(3-4)　第４頁左上欄第１４−１７行に、
「区画板46の後端側には、その両側に前記カバー体43との間にパチンコ玉の直径よりもやや大きい切欠部47a,47bが形成され、……」と、
(3-5)　第４頁右上欄第６−９行に、
「前記切欠部47a,47bには、前記カバー体43に穿設した開口52a,52bからストッパー部材53a,53bが進退自在に対応配置される。」と、
(3-6)　第４頁左下欄第１２−１８行に、
「切欠部47a,47bが閉塞されると、入賞玉が切欠部47a側に流入した場合には、第６図に示されるように、一方の切欠部47a部分に２個貯溜され、３個目の玉は２個目の玉および前記第３の誘導突起51aに誘導されて誘導口48に入る。したがって、切欠部47a,47bには合計４個の入賞玉が貯溜される。」と、
(3-7)　第４頁右下欄第４−１４行に、
「上記した切欠部47a,47b、ストッパー部材53a,53b、作動部材55、および貯溜ソレノイド58が入賞玉貯溜装置を構成しており、この入賞玉貯溜装置は、後述する特別遊技状態となったときに、ストッパー部材53a,53bが突入して切欠部47a,47bを閉塞し、入賞玉の貯溜可能な第１の状態とし、後述する予め定められた条件を満たしたときに、ストッパー部材53a,53bが退避して切欠部47a,47bを開放し、入賞玉の貯溜を解除する第２の状態へと変化するように動作する。」と、
(3-8)　第４頁右下欄第１５行−第５頁左上欄第７行に、
「前記区画板46の下方には、後方から前方に向って下り傾斜している流下板60が横臥されている。流下板60の上部には、前記誘導口48から落下した玉を一定角度範囲内で振り分ける振り分け部材61が回動自在に設けられている。振り分け部材61は正面から見た場合に、白馬の意匠が与えられており、………軸ピン62を中心に左右方向に往復回動するように構成されている。」と、
(3-9)　第５頁左上欄第１７行−右上欄第１行に、
「振り分け部材61の軸ピン62の前方には、前記誘導口48の直下に玉通過穴68が形成され、更に、該通過穴68に連通して入賞玉を所定の方向へ導く案内壁69a,69bが両側から下方に向って突出形成されている（第２図参照）。」と、
(3-10)　第５頁右上欄第６−７行に、
「入賞玉の玉通過穴68への落下時点での振り分け部材61の回動方向に向って放出される。」と、
　それぞれ記載されている。
　
（４）刊行物４
　刊行物４〔実願昭６０−１８９４６２号（実開昭６２−９７６８７号）のマイクロフィルム〕（以下、「引用例４」という。）には、パチンコ機に関し、
(4-1)　第５頁第１７−２０行に、
「第１図及び第２図において、１は本考案に係るパチンコ機の入賞装置であり、図示しない遊技台の遊技盤面上に固着されるものであって、２はその本体である。」と、
(4-2)　第６頁第８−１１行に、
「本体２の底板８には所定の入賞口９と他の入賞口10とが開設されており、開口部３内に入ったパチンコ球は両入賞口９、10のうちいずれかに入賞するようにされている。」と、
(4-3)　第７頁第４−６行に、
「底板8のほゞ中央部にはボス部11が形成されており、このボス部11には円形の回転部材12の中心部が軸着されている。」と、
(4-4)　第７頁第１７行−第８頁第１行に、
「この第３図にも示すように、この回転部材12には球受部19-1〜19-10が設けられている。これらの球受部19-1〜19-10は回転部材12の回転によって位置Ａ〜Ｃに順次到来するように該回転部材12の回転方向に配列されている。」と、
(4-5)　第８頁第１７行−第９頁第２行に、
「球受部19-10はＵ字状の切欠き部として構成されており、位置Ａに到来したとき放球口22からのパチンコ球をその内部に収容し、かつ位置Ｂに到来したときには底板８の傾斜をもってそのパチンコ球を所定の入賞口９に入球させるものである。」と、
　それぞれ記載されている。
　
（５）刊行物５
　刊行物５〔特開昭６２−１１７５７９号公報〕（以下、「引用例５」という。）には、弾球遊技機に関し、
(5-1)　第４頁左下欄第１５−１８行に、
「第３図、第４図および第５図を参照して、可変入賞球装置３０は、遊技盤１４（第１図参照）に取付けられる取付基板７２を備え、その前面側ほぼ中央部には、玉誘導樋７４が形成されている。」と、
(5-2)　第４頁右下欄第８−１５行に、
「玉誘導樋７４内には常時比較的ゆつくりした速度（たとえば、10rpm）で回転される回転板８２が配置されている。回転板８２の周面には玉誘導溝８４，８６，８８が形成されている。玉誘導溝８４〜８８のうち、誘導溝８４は、第１の特定領域としての権利発生用入賞口８０ａへパチンコ玉を誘導するためのものである。」と、
(5-3)　第７頁左上欄第７行−右上欄第３行に、
「権利発生状態において、第２の特定領域の一例の始動入賞装置２６または２８（第１図参照）へパチンコ玉が入賞すると、………、開閉翼片９４ａ，９４ｂが開成し、パチンコ玉が入賞容易な遊技者にとつて有利な第１の状態になる。」と、
　それぞれ記載されている。
　
（６）刊行物６
　刊行物６〔特開昭６３−２６２１６９号公報〕（以下、「引用例６」という。）には、パチンコ遊技機に関し、
(6-1)　第３頁右上欄第６−１３行に、
「第１変動入賞装置４は、打球を受入れないか受入れ難い第１状態から打球を受け入れ易い第２状態に変換可能な可動部材としての２つの開閉翼14と、該開閉翼14に案内されて受け入れられた入賞球を貯留する入賞球貯留部21と、該入賞球貯留部21に貯留された入賞球を一個宛所定間隔で自動的に排出する球排出装置25とを備えている。」と、
(6-2)　第３頁右下欄第５−８行に、
「入賞球貯留部21は、内部空間を横に拡げた翼部22と、その中央の導出口23から下方の球排出装置25にかけて縦に続く貯留球待機部23AとをＴ字状に連絡した枠体から成る。」と、
(6-3)　第４頁左上欄第１７行−右上欄第１７行に、
「球排出装置25は、モータＭにより軸27を中心として第２図の矢印方向に常時回転される回転盤26と、この回転盤26を左右から囲む湾曲した案内枠28とを有する。回転盤26の周面の１箇所には、球１個分の凹部から成る球保持部26Aが設けてある。　回転盤26は、モータＭにより第２図の矢印方向に常時一定速度（この実施例では10rpm）で回転しており、その球保持部26Aが入賞球貯留部21の貯留球待機部23Aと一致したときに、該貯留球待機部23A内に待機している入賞球を、球保持部26A内に取り込む。　 この球保持部26A内に取り込まれた入賞球は、球保持部26Aと案内枠28との間で案内されつつ下方に導かれ、案内枠28の下部に設けた導出口29より下方に落下する。 球排出装置25は、このようにして、入賞球貯留部21の入賞球を１個宛自動的に、一定間隔（この実施例では0.6秒間隔）で払い出す。この払い出される入賞球は、導出口29に設けたカウント検出器SW3によって検出され計数される。」と、
(6-4)　第６頁右下欄第１２行−第７頁左上欄第１行に、
「第１変動入賞装置4に飛び込んだ打球は、第１状態下にある左右の開閉翼14、14間を通過し、下方の入賞球貯留部21に貯留される。貯留球待機部23Aに貯留待機させられている入賞球は、10rpmで常時回転している回転盤26の球保持部26A内に取り込まれ、下方に送られて導出口29から釈放される。 このようにして球排出装置25から、入賞球貯留部21の入賞球が１個宛自動的に6.0秒という一定間隔で払い出され、カウント検出器SW3によって検出される。」と、
　それぞれ記載されている。
　
４．本願発明と引用発明との対比検討
（１）本願発明と引用発明との対比
　まず、本願発明と引用発明とを対比する。
　本願発明と引用発明とを対比すると、引用発明の「打球が入ることにより大入賞装置６の横長開口部３０が約１０秒あるいは１０個の入賞を検出するまで開放作動する権利を獲得する権利入賞口２１」「入賞室１３」「パチンコ機のセンター役物７」は、それぞれ本願発明の「パチンコ球が入賞することにより大入賞口が所定時間開放する権利を発生させる特別入賞口」「空間部」「パチンコ機の入賞装置」に相当する。
　また、引用発明の「普通入賞口１５」は、引用例１には権利を発生させることの記載もなく、その「普通」の文言のとおり、特殊な入賞であるとも認められないから、本願発明の「権利を発生させない通常入賞口」に相当する。
　また、引用発明の「入賞室１３の上方に設けられた球入口１７を電動チューリップからなる普通電動役物５１で構成し、球が１個通過可能な状態と、電動チューリップの回動翼片５４が開放して球が流入し易い状態に変換している」ことと、本願発明の「空間部をパチンコ球が飛入可能な第一状態と飛入不能な第二状態とに変換可能にした」こととは、「空間部を遊技者にとって有利な第一状態と遊技者にとって不利な第二状態とに変換可能にした」ことで共通する。
　また、引用発明の「入賞室１３には、上面に複数の障害ピンを設けた回転板２４」は、パチンコ球の行方に影響を及ぼし、該パチンコ球を特別入賞口の方向へ導くのであるから、本願発明の「前記貯溜部から溢れたパチンコ球を収容し、前記特別入賞口へ入賞させる保持部……を構成し、前記空間部が前記パチンコ球が飛入不能な第二状態に移行してから第二の所定時間が経過したときに前記収容したパチンコ球を前記特別入賞口へ移動させる回転体」とは、「パチンコ球の行方に影響を与える回転体」で共通する。
　そうすると、本願発明と引用発明の両者は「パチンコ球が入賞することにより大入賞口が所定時間開放する権利を発生させる特別入賞口と、前記権利を発生させない通常入賞口とを空間部に備え、該空間部を遊技者にとって有利な第一状態と遊技者にとって不利な第二状態とに変換可能にしたパチンコ機の入賞装置において、前記空間部には、パチンコ球の行方に影響を与える回転体とを設けたパチンコ機の入賞装置。」である点で一致し、
　
以下の点で相違しているものと認められる。
i.　相違点１
　空間部を遊技者にとって有利な第一状態と遊技者にとって不利な第二状態とに変換可能にする構成として、本願発明では、パチンコ球が飛入可能な第一状態と飛入不能な第二状態とに変換可能にしているのに対し、引用発明では、入賞室１３の上方に設けられた球入口１７を電動チューリップからなる普通電動役物５１で構成し、電動チューリップの回動翼片５４が開放して球が流入し易い状態と、球が１個通過可能な状態とに変換可能にしている点。
　
ii.　相違点２
　空間部に、本願発明では、パチンコ球を所定の貯溜球数だけ貯溜可能であって、前記所定の貯溜球数以上のパチンコ球が収容されたとき、前記所定の貯溜球数までのパチンコ球は貯溜され、それ以降のパチンコ球は溢れる貯溜部と、前記パチンコ球が飛入可能な第一状態に変換されたときから第一の所定時間が経過するまで前記貯溜部内にパチンコ球を貯溜させる、あるいは前記第一の所定時間の経過に基づいて貯溜部内に貯溜されたパチンコ球を回収口に放出させるための駆動手段と、前記貯溜部から溢れたパチンコ球を収容し、前記特別入賞口へ入賞させる保持部と、前記保持部を構成し、前記空間部が前記パチンコ球が飛入不能な第二状態に移行してから第二の所定時間が経過したときに前記収容したパチンコ球を前記特別入賞口へ移動させる回転体とを設けているのに対し、引用発明では、パチンコ球の上面に複数の障害ピンを設けた回転板２４を設けたにすぎない点。
　
（２）当審の判断
　上記相違点について検討する。
i.　相違点１について
　電動チューリップからなる普通電動役物において、遊技者にとって不利な状態がパチンコ球が全く飛入不能な状態であることは、例えば引用例１の第９乃至１１図に記載されている第２の実施例における電動チューリップ５４（上記摘記(1-8)参照）の開閉態様のように周知技術（以下、「周知技術１」という。）であるだけでなく、一般的なパチンコ機の入賞装置において、遊技者にとって不利な状態が、パチンコ球が飛入不能な状態であることは、引用例２乃至５等にも記載されているように周知技術（以下、「周知技術２」という。）である。
　そして、これらの周知技術１，２を考慮すれば、引用発明の普通電動役物５１における遊技者にとって不利な状態が、球が１個通過可能な状態ではなく、パチンコ球が飛入不能な状態として、相違点１に係る本願発明の構成とすることは、当業者にとって格別困難なことではない。
　
ii.　相違点２について
　空間部に飛入したパチンコ球を所定の貯溜球数だけ貯溜可能であって、前記空間部内に前記所定の貯溜球数以上のパチンコ球が収容されたとき、前記所定の貯留球数までのパチンコ球は貯留され、それ以降のパチンコ球は溢れる貯溜部を設け、前記貯留部内に貯溜されたパチンコ球を特定の条件に基づいて放出させることは、引用例２，３等に記載されているように周知技術（以下、「周知技術３」という。）である。
　また、回転体の周縁部にパチンコ球を収容して、該回転体を回転させることによって前記パチンコ球を所定の球入口に移動させることによって遊技者にとって有利な遊技態様とすることは、引用例４乃至６等に記載されているように周知技術（以下、「周知技術４」という。）である。
　そして、引用発明は第３種パチンコ機（所謂権利物）の入賞装置であり、周知技術３の周知例として提示した引用例２，３は第２種パチンコ機（所謂ハネモノ）の入賞装置であることで相互に相違するとしても、いずれも、パチンコ機の遊技領域の略中央部に配置され、夫々異なる利益を遊技者へ与える複数の入賞口を有する入賞装置であることで一致し、遊技者にとって有利な状態を継続させるために、所定数以上のパチンコ球を入賞装置へ飛入させることを遊技者へ課す点で共通するから、貯留する際の遊技状態が特別遊技状態中か否かで相違するとしても、周知技術３を引用発明の入賞装置に適用することに特段の阻害要因はなく、当該適用は当業者にとって格別困難なことではない。それに加え、周知技術３を引用発明に適用した際に、パチンコ球の貯留時間を、飛入可能な第一状態に変換されたときを基準に、所定時間を経過するまでとすることは、特別入賞口への入賞、すなわち権利発生を所定の確率で生起せしめるために前記所定時間を設定したにすぎないから、当業者が適宜なし得た程度の単なる設計的事項にすぎない。
　そしてまた、引用発明の入賞装置はパチンコ球の行方に影響を与える回転板を備えており、前述した、回転体の周縁部にパチンコ球を収容して該回転体を回転させることによって前記パチンコ球を所定の球入口に移動させる周知技術４を考慮すれば、引用発明のパチンコ球の行方に影響を与える手段としての回転板に換えて周知技術４を採用することは当業者にとって格別困難なことではない。加えて、回転体の移動開始時を、パチンコ球が飛入不能な第二状態に移行した時を基準として、所定時間が経過したときとすることは、新たにパチンコ球が飛入不能となった入賞装置内に既に残留しているパチンコ球が、特別入賞口への入賞、すなわち権利発生までに至る過程を所定時間としたにすぎず、遊技性を考慮して当業者が適宜決定し得た設計的事項にすぎない。
　なお、本願発明における貯留後に「回収口」へ放出されたパチンコ球が、セーフ玉なのかアウト玉なのか明確に把握できないが、本願明細書（段落【００２０】【００２１】）には、回転盤９の凹部１１に収容されたパチンコ球を第３種始動口へ入賞させることを、「回収」としていること、及び、「回収口」へ放出されたパチンコ球が一旦入賞装置１内に飛入したものであることを考慮すれば、本願発明の回収口へ放出されるパチンコ球は、セーフ玉であると見なすことができ、周知技術３における放出されて入賞球として取り扱われるパチンコ球と相違はない。
　よって、周知技術２乃至４を引用発明に適用して相違点２に係る本願発明の構成とすることは、当業者が容易に想到し得たものというべきである。
　
　そして、本願発明に係る作用効果は、引用発明及び周知技術に基づいて、当業者が予測し得るものであり格別顕著なものではない。
　したがって、本願発明は、引用発明及び周知技術に基づいて当業者が容易に発明をすることができたものである。
　
５．むすび
　以上のとおり、本願発明は、引用発明及び周知技術に基づいて当業者が容易に発明をすることができたものと認められるので、特許法第２９条第２項の規定により特許を受けることができない。
　よって、結論のとおり審決する。